(57)【要約】【課題】引き上げ時姿勢が安定し、引き上げが軽く、沈下時は不安定に搖れながら沈み魚の食いを誘うルア−を提供することである。【解決手段】鉛から成るルア−本体１と、ルア−本体１の前後長手方向に挿通された軸杆２で形成され、ルア−本体１の形状は、表面と裏面を有する比較的平たい板状に形成されており、上縁αと下縁βの間の中央部１ａが肉厚で、前端側から長手方向中央を経て後端側に向かって徐々に厚み（幅）が大きくなって、その後、後端に向かって厚み（幅）が小さくなって中央部１ａの上縁α側と下縁β側には中央部１ａより薄肉に形成した翼部１ｂ、１ｃが形成され、表面と裏面の上縁α側と下縁β側には、夫々上縁αと下縁βに沿って流水用溝１ｄ、１ｅが形成されて流水用溝１ｄ、１ｅはルア−前端側で幅が狭く、後端側に向かって徐々に広くなって後方側で最大の広さとなり、後端に向けて幅狭になっている。【選択図】　　　図１
2004024081.tif 000002
【特許請求の範囲】
【請求項１】
ルア−本体の表面と裏面の上縁側と下縁側に沿って流水用の溝を形成し、ルア−本体の上縁と下縁にルア−本体の中央部より薄肉に形成した翼部を形成したことを特徴とするルア−。
【請求項２】
流水用の溝はルア−本体の後端側で幅が広がって、その内側の曲率が小さくなる部分を有していることを特徴とする請求項１記載のルア−。
【発明の詳細な説明】
【０００１】
【発明の属する技術分野】
本発明は、金属製ルア−の機能の向上を図ったルア−の改良に関する。
【０００２】
【従来の技術】
従来から水深の深いところにいる魚を釣るときには金属製ルア−が使用されている。
この様なルア−はそのルア−本体が主に鉛、ステンレス等の金属から成る一般的にジグと言われるダイプのルア−であって、前端と後端にリング状の止着部を有し、前端の止着部には釣り糸を止着し、後端の止着部には釣り針が止着される。
（釣り針を前端の止着部に止着するときもある。）
この様な状態でルア−を水中に深く沈めた後、釣り竿をあおりながらリ−ルに釣り糸を巻くことでルア−に動きを与え食いを誘う、適当に巻き上げた後魚がかからなければ再びルア−を沈める。
このルア−の沈下時にも魚がルア−を食うことがある。
これら一連の操作を繰り返し釣りを行う。
【０００３】
このため、釣り竿をあおりながらリ−ルに釣り糸を巻く時はルア−が大きく、重くなると巻き上げに力が必要となり非常に疲れる。
また、金属で出来ているためルア−の動きが単純化しやすいという欠点があった。
従来の金属製ルア−として例えば▲１▼実開平４９−５７４７９号公報のルア−は、一般的な棒状に形成した金属製ルア−で、巻き上げは比較的安定するが、落下時の動きが単純になる。
例えば▲２▼特開平１１−９１４３号公報のルア−は、断面がずんぐりしたルア−の腹側縁のみ凹状の溝を設けて回転運動を行うようにした金属製ルア−で、回転するため余計に引き上げが重くなってしまう。
例えば▲３▼特開２００１−１７８３１２号公報のルア−は、ルア−の表面と裏面を非対称に形成し疑似餌に対して旋回力を与えるようにしている。
ところが、回転するため余計に引き上げが重くなってしまう。
【０００４】
【発明が解決しようとする課題】
解決しようとする問題点は、従来の金属製ルア−は落下時のルア−の動きが単純であるか、または、大きな動きはするが引き上げが重くなってしまうかのどちらかであることである。
【０００５】
本発明の目的は前記欠点に鑑み、引き上げ時姿勢が安定し、引き上げが軽く、沈下時は不安定に搖れながら沈み魚の食いを誘うルア−を提供することである。
【０００６】
【課題を解決するための手段】
上記課題を解決するために、
請求項１に係わる本発明は、ルア−本体の表面と裏面の上縁側と下縁側に沿って流水用の溝を形成し、ルア−本体の上縁と下縁にルア−本体の中央部より薄肉に形成した翼部を形成したことを要旨とするものである。
請求項２に係わる本発明は、流水用の溝はルア−本体の後端側で幅が広がって、その内側の曲率が小さくなる部分を有していることを要旨とするものである。
【０００７】
【発明の実施の形態】
請求項１の本発明により、ルア−の引き上げ時はルア−本体１の表面と裏面の上縁α側と下縁β側に沿って設けた流水用溝１ｄ、１ｅ、１ｈ、１ｉに沿って水が通るため、ルア−の姿勢が安定し、引き上げが軽く釣りが樂になると共に、ルア−の沈下時には、ルア−本体１の上縁αと下縁βに設けたルア−本体１の中央部１ａより薄肉に形成した翼部１ｂ、１ｃ、１ｆ、１ｇが水の抵抗を受けてルア−が不安定に搖れながら沈むため魚の食いを誘うことができる。
請求項２の本発明により、ルア−本体１の後端側で流水用溝１ｄ、１ｅ、１ｈ、１ｉに沿って通った水がルア−の表面（裏面）に沿って大きく広がるためルア−の引き上げ時に、さらに、ルア−の姿勢が安定し、引き上げが軽く釣りが樂になる。
【０００８】
【実施例】
以下、図示の実施例によって本発明を説明すると、図１から図３は第１実施例で、図１は（ａ）ルア−の側面図と（ｂ）〜（ｇ）各部に対応する断面正面図、図２はルア−の平面図、図３はルア−の断面側面図である。
【０００９】
ルア−は鉛から成るルア−本体１と、ルア−本体１の前後長手方向に挿通された金属線材の軸杆２で形成されている。
ルア−本体１の形状は、表面と裏面を有する比較的平たい板状に形成されており、上縁αと下縁βの間の中央部１ａが肉厚で、前端側から長手方向中央を経て後端側に向かって徐々に図１（ｃ）〜（ｅ）、図２のように厚み（幅）が大きくなって、その後、後端に向かって厚み（幅）が小さくなっている。
中央部１ａの上縁α側と下縁β側には中央部１ａより薄肉に形成した翼部１ｂ、１ｃが形成されている。
ルア−本体１の表面と裏面の上縁α側と下縁β側（翼部１ｂ、１ｃ）には、夫々上縁αと下縁βに沿って流水用溝１ｄ、１ｅが形成されている。
【００１０】
流水用溝１ｄ、１ｅはルア−前端側で図１（ａ）及び図１（ｃ）のように幅が狭く、図１（ｃ）から図１（ｅ）のように後端側に向かって徐々に広くなっている。
そしてルア−本体１の長手方向の中間より後方側で最大の広さとなりふたたび後端に向けて幅狭になって後端で収束し、なくなる。
流水用溝１ｄ、１ｅはルア−本体１の長手方向を横切る切断面で見たとき内部が凹状に湾曲して形成されており、幅の狭い部分ではその曲率が小さく、幅の広い部分ではその曲率が大きく形成されている。
【００１１】
軸杆２は軸部２ａと前後両端のリング状の止着部２ｂ、２ｃと止着部の折り返し部２ｄ、２ｅとで形成されている。
リング状の止着部２ｂには釣り糸３が止着され、リング状の止着部２ｃに接続リング４を介して釣り針５が止着される。
【００１２】
ルア−が使用されるとき、水中の中からルア−本体１が引き上げられると、水がルア−本体１の表面と裏面の上縁α側と下縁β側に設けた流水用溝１ｄ、１ｅの中を通り、而も、薄肉の翼部１ｂ、１ｃき水の抵抗が小さいため、ルア−がふらつかず安定し、引き上げが軽くなって樂に行える。
しかも、流水用溝１ｄ、１ｅはルア−本体１の後端側で広くなり、凹状の曲率が大きくなるため、流水用溝１ｄ、１ｅ内の水はルア−本体１の後端側で表面（裏面）に沿って大きく広がって流れ、さらに、ルア−のふらつきを押さえる。
一方ルア−が沈下するときは、ルア−本体１の上縁αと下縁βにルア−本体１の中央部１ａより薄肉に形成した翼部１ｂ、１ｃを有しているため、ルア−側面の表面と裏面が広くなって、ルア−がよろけて平を打ちながら沈下し、魚を誘う。
【００１３】
前記のようにルア−が構成されると、ルア−の引き上げ時はルア−本体１の表面と裏面の上縁α側と下縁β側に沿って設けた流水用溝１ｄ、１ｅに沿って水が通るため、ルア−の姿勢が安定し、引き上げが軽く釣りが樂になると共に、ルア−の沈下時には、ルア−本体１の上縁αと下縁βに設けたルア−本体１の中央部１ａより薄肉に形成した翼部１ｂ、１ｃが水の抵抗を受けてルア−が不安定に搖れながら沈むため魚の食いを誘うことができる。
ルア−本体１の後端側で流水用溝１ｄ、１ｅに沿って通った水がルア−の表面（裏面）に沿って大きく広がるためルア−の引き上げ時に、さらに、ルア−の姿勢が安定し、引き上げが軽く釣りが樂になる。
【００１４】
図４、図５は第２実施例で、図４は（ａ）ルア−の側面図と（ｂ）〜（ｇ）各部に対応する断面正面図、図５はルア−の平面図である。
【００１５】
第２実施例では、ルア−本体１の形状は、表面と裏面を有する比較的平たい板状に形成されており、上縁αと下縁βの間の中央部１ａが肉厚で、前端側から長手方向中央を経て後端側に向かって徐々に図４（ｃ）〜（ｅ）、図５のように厚み（幅）が大きくなって、その後、後端に向かって厚み（幅）が同径になっている。
中央部１ａの上縁α側と下縁β側には中央部１ａより薄肉に形成した翼部１ｆ、１ｇが形成されている。
ルア−本体１の表面と裏面の上縁α側と下縁β側（翼部１ｆ、１ｇ）には、夫々上縁αと下縁βに沿って流水用溝１ｈ、１ｉが形成されている。
【００１６】
流水用溝１ｈ、１ｉはルア−前端側で図４（ａ）及び図４（ｃ）のように幅が狭く、図４（ｃ）から図４（ｅ）のように後端側に向かって徐々に広くなっている。
そしてルア−本体１の長手方向の中間より後方側で最大の広さとなりその後後端に向けて同径になっている。
流水用溝１ｈ、１ｉは内部が凹状に湾曲して形成されており、幅の狭い部分ではその曲率が小さく、幅の広い部分ではその曲率が大きく形成されている。
他の構成は前記第１実施例と略同一である。
【００１７】
【発明の効果】
本発明は、以上説明したような形態で実施され、以下に記載されるような効果を奏する。
【００１８】
請求項１により、ルア−の引き上げ時はルア−本体の表面と裏面の上縁側と下縁側に沿って設けた流水用溝に沿って水が通るため、ルア−の姿勢が安定し、引き上げが軽く釣りが樂になると共に、ルア−の沈下時には、ルア−本体の上縁と下縁に設けたルア−本体の中央部より薄肉に形成した翼部が水の抵抗を受けてルア−が不安定に搖れながら沈むため魚の食いを誘うことができる。
請求項２により、ルア−本体の後端側で流水用溝に沿って通った水がルア−の表面（裏面）に沿って大きく広がるためルア−の引き上げ時に、さらに、ルア−の姿勢が安定し、引き上げが軽く釣りが樂になる。
【図面の簡単な説明】
【図１】第１実施例で、（ａ）ルア−の側面図と（ｂ）〜（ｇ）各部に対応する断面正面図である。
【図２】同ルア−の平面図である。
【図３】同ルア−の断面側面図である。
【図４】第２実施例で、（ａ）ルア−の側面図と（ｂ）〜（ｇ）各部に対応する断面正面図である。
【図５】
同ルア−の平面図である。
【符号の説明】
１　ルア−本体
１ａ　中央部
１ｂ、１ｃ、１ｆ、１ｇ　翼部
１ｄ、１ｅ、１ｈ、１ｉ　流水用溝
α　上縁
β　下縁
【図１】
2004024081.tif 000003
【図２】
2004024081.tif 000004
【図３】
2004024081.tif 000005
【図４】
2004024081.tif 000006
【図５】
2004024081.tif 000007